(57)【要約】【課題】低コスト化を図りつつ、充填物の劣化及び落下等による充填物の吐出を防止すると共に、充填物を蓋部から偏り無く吐出する。【解決手段】通常時には、蓋部７ｂと充填領域６との間の仕切壁７ｃの略中央を貫通する中央通路７ｅを、複数の可撓性の足１１ｂを備える弁体１１ｃにより封止する一方で、充填物が後部側から押し出されると弁体１１ｃが可撓性の足１１ｂに従って中央通路７ｅから離間して中央通路７ｅを開放し、充填領域６の充填物を、中央通路７ｅを介して、蓋部７ｂの略中央に開口した中央吐出口７ｆ及びこの周囲の放射状位置に開口した複数の周辺吐出口７ｇから吐出し、押出分が中央通路７ｅを通過すると弁体１１ｃが可撓性の足１１ｂに従って元の封止位置に復帰し、簡易な構成で、通常時の充填領域６の密閉性を確保すると共に充填領域６に密閉される充填物を使用時には蓋部７ｂの広い範囲から吐出する。【選択図】　図１
2004141639.tif 000002
【特許請求の範囲】
【請求項１】
筒状体内の充填領域に充填され後部側から先端側に押し出される充填物を、先端を覆う蓋部を通して外部に吐出させる充填物押出容器において、
前記蓋部と前記充填領域との間に配設される仕切壁と、
この仕切壁の略中央を貫通する中央通路と、
複数の可撓性の足を備えて前記中央通路を封止し、前記充填物が後部側から押し出されると前記可撓性の足に従って前記中央通路から離間する一方で、前記充填物の押出分が前記中央通路を通過すると前記可撓性の足に従って元の封止位置に復帰する弁体と、
前記中央通路に連絡し前記蓋部の略中央に開口される中央吐出口と、
前記中央通路に連絡し前記蓋部の前記中央吐出口周囲の放射状位置に開口される複数の周辺吐出口と、
を具備した充填物押出容器。
【請求項２】
前記可撓性の足は、前記仕切壁より先端側又は後部側の何れか一方側に配置され、
前記弁体は、前記可撓性の足に従い押圧されて、前記中央通路を足配置側から封止することを特徴とする請求項１記載の充填物押出容器。
【請求項３】
前記可撓性の足は、前記仕切壁より先端側又は後部側の何れか一方側に配置され、
前記弁体は、前記可撓性の足に従い引っ張られて、前記中央通路を足配置側とは反対側から封止することを特徴とする請求項１記載の充填物押出容器。
【請求項４】
前記弁体が前記仕切壁より後部側に配置されている場合において、
前記仕切壁は、可撓性を有していることを特徴とする請求項１〜３の何れか一項に記載の充填物押出容器。
【請求項５】
前記蓋部の前記中央吐出口を閉塞したことを特徴とする請求項１〜４の何れか一項に記載の充填物押出容器。
【請求項６】
前記弁体と前記可撓性の足は、一体成形されていることを特徴とする請求項１〜５の何れか一項に記載の充填物押出容器。
【請求項７】
前記充填物は、液状化粧料であることを特徴とする請求項１〜６の何れか一項に記載の充填物押出容器。
【請求項８】
前記蓋部は塗布体に覆われていることを特徴とする請求項７記載の充填物押出容器。
【請求項９】
前記複数の足は、各々がＵ字状を成し前記弁体を支持することを特徴とする請求項１〜８の何れか一項に記載の充填物押出容器。
【発明の詳細な説明】
【０００１】
【発明の属する技術分野】
本発明は、充填物押出容器に関する。
【０００２】
【従来の技術】
従来、筒状体内の充填領域に例えば液状化粧料等の充填物を収容し、押出部が使用者により扱われると、当該充填物を後部側から先端側に押し出し、先端を覆う蓋部のその中央の吐出口を通して外部に吐出させる充填物押出容器が知られている。
【０００３】
このような充填物押出容器では、充填領域と蓋部吐出口が常時連通していると、充填領域の充填物に劣化の虞があると共に落下等により充填領域の充填物が蓋部吐出口を通して外部へ吐出してしまう。
【０００４】
このため、従来の充填物押出容器にあっては、蓋部と充填領域とを開口を介して連通すると共に、この開口を弁体で塞ぎ、さらに当該弁体を進退させる進退機構を設け、押し出される充填物を外部に吐出させる際には進退機構により弁体を後退させて開口を開放する一方で、それ以外の場合には進退機構により弁体を前進させて開口を閉塞する構成とし、このように開口を閉塞することで充填物の劣化及び落下等による充填物の外部への吐出の防止を図っている。
【０００５】
【発明が解決しようとする課題】
しかしながら、上記進退機構は、機械的な機構で弁体を進退させて開口を開閉するため、製造コストが高くなる。また、この種の充填物押出容器では、充填物の種類や使用によっては、充填物を蓋部全面から出来るだけ偏り無く吐出することも望まれている。
【０００６】
本発明は、このような課題を解決するために成されたものであり、低コスト化を図りつつ、充填物の劣化及び落下等による充填物の吐出が防止されると共に、このように劣化が無く必要時のみ吐出されることになる充填物が、蓋部から偏りが低減されて吐出される充填物押出容器を提供することを目的とする。
【０００７】
【課題を解決するための手段】
本発明による充填物押出容器は、筒状体内の充填領域に充填され、後部側から先端側に押し出される充填物を、先端を覆う蓋部を通して外部に吐出させる充填物押出容器において、蓋部と充填領域との間に配設される仕切壁と、この仕切壁の略中央を貫通する中央通路と、複数の可撓性の足を備えて中央通路を封止し、充填物が後部側から押し出されると可撓性の足に従って中央通路から離間する一方で、充填物の押出分が中央通路を通過すると可撓性の足に従って元の封止位置に復帰する弁体と、中央通路に連絡し蓋部の略中央に開口される中央吐出口と、中央通路に連絡し蓋部の中央吐出口周囲の放射状位置に開口される複数の周辺吐出口と、を具備した。
【０００８】
このような充填物押出容器によれば、通常時は、蓋部と充填領域との間の仕切壁の略中央を貫通する中央通路が、複数の可撓性の足を備える弁体により封止される一方で、充填物が後部側から押し出されると弁体が可撓性の足に従って中央通路から離間して開放され、充填領域からの充填物が、中央通路を介して、蓋部の略中央に開口される中央吐出口及び蓋部の中央吐出口周囲の放射状位置に開口される複数の周辺吐出口から吐出され、押出分が中央通路を通過すると、弁体が可撓性の足に従って元の封止位置に復帰する。このため、簡易な構成で、通常時の充填領域の密閉性が確保されると共にこの充填領域に密閉される充填物が使用時には蓋部の広い範囲から吐出される。
【０００９】
ここで、上記容器の好適な構成としては、可撓性の足が、仕切壁より先端側又は後部側の何れか一方側に配置され、弁体が、可撓性の足に従い押圧されて、中央通路を足配置側から封止する構成が挙げられる。
【００１０】
また、上記容器の好適な他の構成として、可撓性の足が、仕切壁より先端側又は後部側の何れか一方側に配置され、弁体が、可撓性の足に従い引っ張られて、中央通路を足配置側とは反対側から封止する構成も挙げられる。
【００１１】
また、弁体が仕切壁より後部側に配置されている場合には、仕切壁として、可撓性を有する構成を採用しても良い。このような構成を採用した場合、充填物が後部側から押し出されると、弁体の中央通路から後部側への離間と同時に、仕切壁が先端側に湾曲し中央通路の開口形状が変形して開口が拡大され、充填物は、中央通路を容易に通過して蓋部の中央吐出口及び周辺吐出口に向かうようになる。
【００１２】
また、蓋部の中央吐出口を閉塞した場合には、充填物は複数の周辺吐出口からのみ吐出されるが、従来の中央のみの吐出口に比すと、蓋部の広い範囲から充填物が吐出されることになる。
【００１３】
また、弁体と可撓性の足は、一体成形されていると、製造コストの低減が一層図られる。
【００１４】
また、充填物としては種々挙げられるが、液状化粧料とすると、上記作用が特に効果的に奏される。
【００１５】
また、蓋部は塗布体に覆われていると、蓋部から吐出される液状化粧料が塗布体に従って一層偏り無く塗布され得ると共に、塗布感の向上が図られる。
【００１６】
また、複数の足の構成としては種々挙げられるが、各々がＵ字状を成し弁体を支持する構成とすると、上記作用が特に効果的に奏される。
【００１７】
【発明の実施の形態】
以下、本発明による充填物押出容器の好適な実施形態について、図１〜図１８を参照しながら説明する。図１は、本発明の第１実施形態に係る充填物押出容器を示す縦断面図であって、ピストンを繰り出す前の状態を示す縦断面図、図２は、本発明の第１実施形態に係る充填物押出容器を示す縦断面図であって、ピストンを前進限迄繰り出した状態を示す縦断面図であり、当該充填物押出容器は、例えばファンデーション、チークカラー、ヘアーカラーや美容液等の液状化粧料を収容し、使用者が必要に応じて適宜吐出可能とする押出機構を備える液状化粧料押出容器である。
【００１８】
図１に示すように、液状化粧料押出容器１００は、本体筒１と、この本体筒１の後端部に設けられ本体筒１に対して相対回転可能な操作筒２と、本体筒１及び操作筒２内に挿入されると共に先端部にピストン３を備え、本体筒１及び操作筒２が相対回転されると本体筒１の先端側に移動する移動体４と、相対回転に同期して一方向の回転を許容し移動体４を本体筒１先端側へのみ移動させるラチェット歯８ｅ，９ｃ同士より成るラチェット部５と、本体筒１内に画成され液状化粧料を収容する液状化粧料収容領域（充填領域）６と、本体筒１の先端部に設けられ、移動体４の本体筒１先端側への移動に従ってピストン３により押し出される液状化粧料を吐出する吐出蓋７と、を備えている。
【００１９】
本体筒１は、図１及び図３に示すように、円筒形状を成し、図３に示すように、先端側に外径が小径とされる先端筒部１ａを備えると共に、後端側に内径が大径とされる後端筒部１ｂを備えている。
【００２０】
本体筒１の内周には、先端から所定長の位置に環状凸部１ｃが形成され、後端筒部１ｂの段部１ｄ寄りの位置に、軸線方向に所定長延びる突条１ｅが円周方向の等配位置に複数個形成され、さらに、本体筒１後端面寄りの位置に環状凹部１ｆが形成されている。
【００２１】
本体筒１の後端筒部１ｂ内の段部１ｄ寄りの位置には、図１に示すように、筒状体８が挿入配置されている。この筒状体８は、図６〜図８に示すように、円筒形状を成す本体部８ａと、この本体部８ａ外周に一体に成形される鍔部８ｂと、を備えている。なお、鍔部８ｂは、部品点数の低減及び組立の容易性の観点から本体部８ａに一体に成形されているが、別体として嵌着等で連結しても良い。
【００２２】
本体部８ａの内周には、図６及び図８に示すように、軸線方向に沿って雌螺子（筒側螺子部）８ｃが形成されている。また、鍔部８ｂの後端側は、環状に凹設される環状溝８ｄとされ、この環状溝８ｄの底面に、後端側に向かうと共に一方の周方向に傾斜して突出するラチェット歯（本体筒側ラチェット部）８ｅを円周方向の等配位置に複数個備えている。また、鍔部８ｂの外周には、軸線方向に延びる突条８ｆが円周方向の等配位置に複数個形成されている。
【００２３】
この筒状体８は、図１に示すように、これより後端側の後述のラチェットバネ部９により付勢されて、鍔部８ｂの先端側縁部が後端筒部１ｂの段部１ｄに当接すると共に、鍔部８ｂの各突条８ｆが本体筒１の各突条１ｅ，１ｅ間に位置し本体筒１に対して回転不能に連結されている。
【００２４】
操作筒２は、図１、図４及び図５に示すように、有底筒形状を成し、先端側に外径が小径とされる先端筒部２ａを備え、この先端筒部２ａの外周に、環状凸部２ｂを備えている。
【００２５】
この操作筒２には、その底部中央に先端側に向かうように立設され、図４及び図５に示すように、略十字状を成す軸体（筒側回り止め部）２ｄが一体で設けられている。この軸体２ｄは、部品点数の低減及び組立の容易性の観点から操作筒２に一体に成形されているが、別体として嵌着や螺子込み等で連結しても良い。また、操作筒２は、その内周に、先端側から軸線方向に所定長延びる突条２ｅを円周方向の等配位置に複数個備えると共に、この突条２ｅに連設されて底部迄延在し突条２ｅより軸心側に突出するバネ押え２ｆを備えている。
【００２６】
この操作筒２は、図１に示すように、先端筒部２ａが本体筒１の後端筒部１ｂ内に挿入され、先端筒部２ａの段部２ｃが本体筒１の後端面に当接して環状凸部２ｂが本体筒１の環状凹部１ｆに嵌入し、本体筒１と相対回転可能に連結されている。
【００２７】
筒状体８の鍔部８ｂと操作筒２のバネ押え２ｆとの間には、図９及び図１０に示すラチェットバネ部９が配設されている。このラチェットバネ部９は、合成樹脂より形成され、円筒形状を成す本体部９ａと、この本体部９ａ後端に連設され円筒形状を成すバネ部（付勢手段）９ｂと、を備えている。
【００２８】
本体部９ａは、その先端面に、先端側に向かうと共に上記ラチェット歯８ｅと噛合するように傾斜して突出するラチェット歯（操作筒側ラチェット部）９ｃを円周方向の等配位置に複数個備えている。また、本体部９ａの外周には、軸線方向に所定長延びる突条９ｄが円周方向の等配位置に複数個形成されている。また、バネ部９ｂは、外周面に螺旋状に切り欠かれるスリット９ｅを備え、このスリット９ｅによりバネ部９ｂが伸縮して付勢力が生じる構成とされている。
【００２９】
このラチェットバネ部９は、図１に示すように、バネ部９ｂが筒状体８の鍔部８ｂと操作筒２のバネ押え２ｆとの間で圧縮されて先端側に向かう付勢力を生じ、ラチェット歯９ｃ，８ｅが噛合する（ラチェット歯９ｃ，９ｃ間にラチェット歯８ｅ，８ｅが位置する）と共に、筒状体８の鍔部８ｂの先端側縁部が本体筒１の後端筒部１ｂの段部１ｄに当接し、この状態で、本体部９ａの各突条９ｄが操作筒２の各突条２ｅ，２ｅ間に位置し、操作筒２に対して回転不能に連結されている。
【００３０】
移動体４は、図１１及び図１３に示すように、円筒体の全長に亘って外周に対向して形成した二平面部４ａと、図１１〜図１３に示すように、外周の二平面部４ａを除く円弧面に軸線方向に沿って形成した雄螺子（移動体螺子部）４ｂと、を備えている。また、移動体４は、図１２に示すように、後端側の内径が小径とされ、この後端の小径とされる内周に、図１２及び図１３に示すように、軸線方向に延びる突条（移動体回り止め部）４ｄを円周方向の等配位置に複数個備えている。
【００３１】
この移動体４は、図１に示すように、雄螺子４ｂの先端部と筒状体８内周の雌螺子８ｃとが螺合すると共に、突条４ｄ，４ｄ間に略十字状を成す軸体２ｄの凸部が位置し軸体２ｄに対して回転不能且つ軸線方向に摺動可能に係合され、この状態で、突条４ｄの後端面が軸体２の底部付近に位置する配置とされている。なお、移動体４は、外周が円形で当該外周に雄螺子を有する構成でも良い。
【００３２】
また、移動体４の先端部には、図１に示すように、ピストン３が一体的に接合されている。このピストン３は円板形状を成し、本体筒１の内周面に水密に接触しながら軸線方向に摺動自在に挿嵌されている。
【００３３】
そして、上記ピストン３、移動体４、筒状体８、ラチェット部５（筒状体８のラチェット歯８ｅ、ラチェットバネ部９のラチェット歯９ｃ）、バネ部９ｂ及び操作筒２により、ピストン３及び移動体４を先端側に繰り出す押出機構（繰出機構）１０が構成されている。
【００３４】
この押出機構１０は、以下の手順で組み立てられる。すなわち、ラチェットバネ部９を、本体部９ａの各突条９ｄが操作筒２の各突条２ｅ，２ｅ間に進入するように操作筒２内に挿入してバネ押え２ｆに載置し、一方、移動体４の先端部（図１に示す位置）に筒状体８を螺子込み、この移動体４先端にピストン３を結合し、このピストン３及び筒状体８を備える移動体４を、各突条４ｄ，４ｄ間に略十字状を成す軸体２ｄの凸部が進入するように操作筒２内に挿入し、この組立体を、筒状体８の各突条８ｆが本体筒１の各突条１ｅ，１ｅ間に進入するように当該本体筒１に押し込み、操作筒２の環状凸部２ｂを本体筒１の環状凹部１ｆに嵌入することで組み立てられる。
【００３５】
また、図１に示すように、本体筒１の先端部には、蓋開閉部１１を介して吐出蓋７が装着されている。
【００３６】
吐出蓋７は、図１４〜図１６に示すように、円筒形状を成す本体部７ａと、この本体部７ａの先端の蓋部７ｂと、図１５及び図１６に示すように、本体部７ａ内の中仕切を成す仕切壁７ｃと、を備え、これら本体部７ａ、蓋部７ｂ、仕切壁７ｃは、例えば合成樹脂等を始めとした可撓性材で一体成形されている。
【００３７】
本体部７ａは、図１４〜図１６に示すように、後端面寄りの外周に環状凸部７ｄを備えている。図１５及び図１６に示すように、仕切壁７ｃは、蓋部７ｂと後端側とを仕切るもので、略中央に中央通路７ｅが貫通されている。
【００３８】
蓋部７ｂは、円筒形状を成す本体部７ａの先端を覆い、図１４に示すように、略中央が先端側に向かって傘状に湾曲する形状とされている。図１４〜図１６に示すように、蓋部７ｂには、その略中央に中央吐出口７ｆが開口されると共に、図１４に示すように、中央吐出口７ｆ周囲の放射状位置に複数の周辺吐出口７ｇが周方向に並列して開口されている。
【００３９】
図１５及び図１６に示すように、中央吐出口７ｆと中央通路７ｅは略同軸に配置され、中央吐出口７ｆと中央通路７ｅとは、これらの間に略同軸に配設される第一連通路７ｈを介して連通されている。
【００４０】
また、各周辺吐出口７ｇの後端側には、これと同軸に同形状を成す第二連通路７ｉが各々連通されている。この各第二連通路７ｉは、その各内周面が第一連通路７ｈの周面に重合し開口７ｋが各々形成されて、第一、第二連通路７ｈ，７ｉ同士が連通されている。
【００４１】
蓋開閉部１１は、図１７及び図１８に示すように、円筒形状を成す基部１１ａと、この基部１１ａの内周面に設けられる複数本の足１１ｂと、これらの足１１ｂに支持される弁体１１ｃと、を備え、これら基部１１ａ、足１１ｂ、弁体１１ｃは、例えば合成樹脂等を始めとした可撓性材で一体成形されている。
【００４２】
基部１１ａは、図１７に示すように、後端面寄りの外周に環状凹部１１ｄを備えている。
【００４３】
足１１ｂは、図１８に示すように、基部１１ａ内周の円周方向３等配の位置から、図１７に示すように、軸線方向に突設され後端側に向かってから先端側に向かうようにＵ字状に湾曲されると共にＵ字の両端部が初期状態（組み付け前の状態；以下単に初期状態と呼ぶ）において外側に開く形状とされている。
【００４４】
弁体１１ｃは、図１７に示すように、３本の足１１ｂの先端に設けられ、その先端が略截頭円錐台形状に構成されている。なお、弁体１１ｃは、部品点数の低減及び組立の容易性の観点から可撓性の足１１ｂと一体に成形されているが、別部材で別体として連結されていても良い。
【００４５】
この蓋開閉部１１は、図１に示すように、後端側が本体筒１の先端筒部１ａ内に挿入され、環状凹部１１ｄが本体筒１の環状凸部１ｃに嵌入し、本体筒１に装着されている。
【００４６】
また、上記吐出蓋７は、後端側が蓋開閉部１１の基部１１ａ内に押し込まれ、環状凸部７ｄが蓋開閉部１１の基部１１ａ内周に係止されて、蓋開閉部１１に装着されている。
【００４７】
この状態で、吐出蓋７の仕切壁７ｃの中央通路７ｅには、蓋開閉部１１の弁体１１ｃ先端の截頭円錐台形状部が、仕切壁７ｃより後端側に位置する可撓性の複数の足１１ｂに支えられて後端側（足１１ｂ配置側）から嵌り込み、当該中央通路７ｅが閉状態とされて封止されている。
【００４８】
ここで、吐出蓋７や蓋開閉部１１は、可撓性の足１１ｂが弁体１１ｃに所定の押圧力を与えて中央通路７ｅを塞ぐように組み立てられている。また、足１１ｂは、Ｕ字の構成により好適に撓むのが可能にされていると共に、Ｕ字の両端部が初期状態において外側に開く形状とされているため一層好適に撓むのが可能とされている。
【００４９】
そして、仕切壁７ｃと本体筒１内のピストン３との間に、液状化粧料収容領域６が画成され、この液状化粧料収容領域６に液体化粧料が収容され、当該液状化粧料収容領域６が弁体１１ｃにより封止されている。
【００５０】
このように可撓性の足１１ｂに支持される弁体１１ｃで中央通路７ｅが閉状態とされて液状化粧料収容領域６が封止されているため、簡易な構成で、通常時（使用者が液状化粧料を吐出する時以外）の液状化粧料収容領域６の密閉性が確保されている。
【００５１】
また、本体筒１と蓋開閉部１１との間には、塗布体支持体１２が装着され、これに支持される例えばスポンジ等の塗布体１３により、吐出蓋７の蓋部７ｂの全面が覆われている。
【００５２】
また、本体筒１の先端筒部１ａには、塗布体１３等を覆うキャップ１４が着脱自在に装着されている。
【００５３】
次に、このような液状化粧料押出容器１００により液状化粧料を塗布する場合について説明する。
【００５４】
使用者は、先ず、本体筒１からキャップ１４を外し、本体筒１を摘むと共に操作筒２を回転させる、若しくは、操作筒２を摘むと共に本体筒１を回転させ、これらを相対回転させる。
【００５５】
ここでは、本体筒１を摘むと共に操作筒２を回転させる場合を説明する。このように操作筒２を回転させると、操作筒２の軸体２ｄに移動体４が回転方向の移動を規制されているため、移動体４は操作筒２と共に回転し、同時に、操作筒２にラチェットバネ部９が回転方向の移動を規制されているため、ラチェットバネ部９は操作筒２と共に回転する。この時、筒状体８は、本体筒１に回転方向の移動を規制されているため、回転しない。
【００５６】
この回転に従って、ラチェットバネ部９のバネ部９ｂにより付勢されて筒状体８のラチェット歯８ｅと噛合しているラチェットバネ部９のラチェット歯９ｃは、バネ部９ｂの付勢力に抗しながら、筒状体８のラチェット歯８ｅの傾斜面を乗り越え、バネ部９ｂにより付勢されて次のラチェット歯８ｅとの間に達し、この時「カチッ」という嵌合音を生じて噛合状態とされる。
【００５７】
また、操作筒２の回転に従って、移動体４が回転すると、この移動体４は、外周の雄螺子４ｂが筒状体８の雌螺子８ｃに螺合しているため、軸体２ｄに案内されながら先端側に直進運動し、この直進運動に伴って、ピストン３が液状化粧料収容領域６内を摺動前進し、液状化粧料収容領域６内の液状化粧料が先端側に押圧される。
【００５８】
すると、この押し出される液状化粧料に従って、可撓性の足１１ｂが後端側に向かって撓み弁体１１ｃが中央通路７ｅから離間し、加えて、可撓性の仕切壁７ｃがその中央部が先端側に湾曲するように撓むと共に中央通路７ｅの開口形状が変形して開口が拡大され、これにより仕切壁７ｃの中央通路７ｅが開放される。
【００５９】
そして、この中央通路７ｅの開状態に従って、液状化粧料は、中央通路７ｅ、第一連通路７ｈ、各第二連通路７ｉを通して、中央吐出口７ｆ及び各周辺吐出口７ｇから吐出される。
【００６０】
このように、液状化粧料は、蓋部７ｂの広い範囲から吐出され、蓋部７ｂからの液状化粧料の吐出の偏りが低減されている。
【００６１】
この時、第一連通路７ｈが中央吐出口７ｆに連通し、各第二連通路７ｉが各周辺吐出口７ｇに各々連通しているため、液状化粧料は、各吐出口７ｆ，７ｉから一層偏り無く吐出される。また、押し出される液状化粧料が中央通路７ｅを通過すると、弁体１１ｃは、可撓性の足１１ｂに従って元の封止位置に復帰して中央通路７ｅは閉状態とされる。
【００６２】
そして、使用者は、液状化粧料押出容器１００を持って塗布体１３を皮膚の所望位置に押し当て、液状化粧料を塗布体１３を通して塗布する。
【００６３】
この時、中央吐出口７ｆ及び各周辺吐出口７ｇから吐出された液状化粧料は、塗布体１３を通すことで一層均等に広げられて塗布されるため、塗布体が無い場合に比して液状化粧料が一層偏り無く塗布されると共に使用者の塗布感が向上されている。
【００６４】
なお、液状化粧料を一層偏り無く吐出すべく、中央吐出口７ｆを第一連通路７ｈを介して中央通路７ｅに、各周辺吐出口７ｇを各第二連通路７ｉを介して第一連通路７ｈに各々連通する構成としているが、中央吐出口７ｆ及び各周辺吐出口７ｇを１本の連通路で中央通路７ｅに連通することも可能である。
【００６５】
ここで、続けて操作筒２を回転すると、筒状体８は弾発力によって、「カチッ、カチッ」と嵌合音を発しながら、ラチェット歯８ｅ，９ｃが係脱動作を繰り返して回転し、移動体４と共にピストン３がさらに前進していく。
【００６６】
一方、操作筒２を上記と反対方向に回転しようとすると、ラチェット歯９ｃ，８ｅの垂直立設面同士が対面し、反対方向に回転不可能なため、操作筒２の反対方向への回転が阻止され、ピストン３は前進のみ可能とされ後退はしない。
【００６７】
そして、このように操作筒２を回転させることで、ピストン３が前進し液状化粧料が吐出されて消費され、当該ピストン３は、図２に示す前進限の位置迄最大繰り出される。
【００６８】
このような移動体４の先端側への直進運動による液状化粧料の吐出は、操作筒２を摘むと共に本体筒１を回転させる場合でも同様である。
【００６９】
なお、本実施形態の押出機構１０では、製造の容易性の観点から、移動体４の内周と軸体２ｄの外周とに回り止め部（突条４ｄ、十字状部）を設け、移動体４の外周と筒状体８の内周とに螺合部（雄螺子４ｂ、雌螺子８ｃ）を設けるようにしているが、これとは逆に、移動体４の内周と軸体２ｄの外周とに螺合部を設け、移動体４の外周と筒状体８の内周とに回り止め部を設けるようにしても良い。
【００７０】
また、本実施形態の押出機構１０では、部品点数の低減及び組立の容易性の観点から、ラチェット部とバネ部とを一体成型品としたラチェットバネ部９を用いているが、ラチェットバネ部９を構成するバネ部９は必ずしもスリット９ｅを備える構成でなくても良くスリットに代えて付勢力を生じる構成であれば良く、また、本体部９ａとバネ部９ｂとを別体としてバネ部９ｂをコイルバネ等に代えることも可能であり、また、ラチェット部５（ラチェット歯８ｅ，９ｃ）を、実公平６−１４８４４号公報に記載のように、付勢される係止爪と、この係止爪が係止されるラチェット歯との組合せの構成に代えることも可能であり、要は、本体筒１と操作筒２の相対回転に同期して一方向の回転を許容するように噛合するラチェット部であれば良い。
【００７１】
さらにまた、回り止め部の構成も本実施形態の押出機構１０のものに限定されるものではなく、例えばスプライン及びスプライン溝等で構成される回り止め部とすることも可能である。
【００７２】
以上述べたように、本実施形態にあっては、通常時には、中央通路７ｅが、複数の可撓性の足１１ｂを備える弁体１１ｃにより封止される一方で、液状化粧料が後部側から押し出されると弁体１１ｃが可撓性の足１１ｂに従って中央通路７ｅから後退して当該中央通路７ｅが開放され、液状化粧料収容領域６からの液状化粧料が、中央通路７ｅを介して、蓋部７ｂの中央吐出口７ｆ及び周辺吐出口７ｇから吐出され、押出分が中央通路７ｅを通過すると、弁体１１ｃが可撓性の足１１ｂに従って元の封止位置に復帰するため、簡易な構成で、通常時の液状化粧料収容領域６の密閉性が確保されると共にこの液状化粧料収容領域６に密閉される液状化粧料が使用時には蓋部７ｂの広い範囲から吐出される。このため、低コスト化を図りつつ、液状化粧料の劣化及び落下等による液状化粧料の吐出が防止されていると共に、このように劣化が無く必要時のみ吐出することになる液状化粧料が、蓋部７ｂから偏りを低減して吐出されるようになっている。
【００７３】
また、本実施形態においては、以下の効果もある。すなわち、本体筒１及び操作筒２内に挿入される移動体４が筒状とされて内周又は外周の何れか一方に移動体螺子部４ｂが他方に移動体回り止め部４ｄが各々備えられ、移動体回り止め部４ｄに回転不能に係合する筒側回り止め部２ｄ、移動体螺子部４ｂに螺合する筒側螺子部８ｃ、及び、ラチェット部５が、軸線に直交する同一面において重なる配置とされるため、従来の特開２０００−２６２３２４号公報や実公平６−１４８４４号公報に記載のような筒側回り止め部、筒側螺子部及びラチェット部が軸線方向に並設される装置に比して、同一繰出量を確保しつつ全長が短くされている。
【００７４】
また、このように同一繰出量を確保しつつ全長が短くされるため、容器全長に比して液状化粧料の充填比率が高められている。このため、購買意欲を高めるものとされている。
【００７５】
図１９は、本発明の第２実施形態に係る充填物押出容器を示す縦断面図であり、ピストンを繰り出す前の状態を示す縦断面図、図２０は、図１９中の吐出蓋を示す斜視図、図２１は、図２０に示す吐出蓋の一部破断斜視図、図２２は、図２０に示す吐出蓋の縦断面図である。
【００７６】
この第２実施形態が第１実施形態と違う点は、第１実施形態の吐出蓋７に代えて、蓋部７ｂの中央吐出口７ｆを閉塞部７ｍで閉塞した吐出蓋１７を用いた点である。
【００７７】
この閉塞部７ｍは、本実施形態のように、蓋部７ｂと一体に成形されていても、蓋部７ｂに開口される中央吐出口７ｆを、蓋部７ｂと同一材又は別材で後に塞ぐ構成でも良い。
【００７８】
このような蓋部７ｂを備える吐出蓋１７によれば、液状化粧料は、複数の周辺吐出口７ｇからのみ吐出されるが、従来の中央のみの吐出口に比すと、蓋部７ｂの広い範囲から充填物が吐出されることになり、従来に比して蓋部からの液状化粧料の吐出の偏りが低減されている。
【００７９】
このような中央吐出口７ｆの有無は、化粧料や用途の相違等に従って適宜選択される。
【００８０】
図２３は、本発明の第３実施形態に係る充填物押出容器の吐出蓋及び蓋開閉部を抽出して示す縦断面図、図２４は、図２３中の吐出蓋を示す側面図、図２５は、図２４に示す吐出蓋の一部破断斜視図、図２６は、図２４に示す吐出蓋の縦断面図、図２７は、図２４に示す吐出蓋の正面図、図２８は、図２３中の蓋開閉部を示す斜視図、図２９は、図２８に示す蓋開閉部の縦断面図、図３０は、図２８に示す蓋開閉部の背面図である。
【００８１】
この第３実施形態が第１実施形態と違う点は、第１実施形態の吐出蓋７、蓋開閉部１１に代えて、図２３に示す吐出蓋２７、蓋開閉部２１を用いた点である。
【００８２】
吐出蓋２７は、図２４〜図２６に示すように、段付き円筒形状を成す本体部２７ａと、この本体部２７ａの先端の蓋部２７ｂと、図２５及び図２６に示すように、本体部２７ａ内の中仕切を成す仕切壁２７ｃと、を備え、これら本体部２７ａ、蓋部２７ｂ、仕切壁２７ｃは一体成形されている。
【００８３】
本体部２７ａは、図２４〜図２６に示すように、後端面寄りの外周に環状凹部２７ｄを備えている。図２５及び図２６に示すように、仕切壁２７ｃは、蓋部２７ｂと後端側とを仕切るもので、略中央に中央通路２７ｅが貫通されている。
【００８４】
蓋部２７ｂは、段付き円筒形状を成す本体部２７ａの先端を覆い、図２４に示すように、略中央が先端側に向かって傘状に湾曲する形状とされている。図２５〜図２７に示すように、蓋部２７ｂには、その略中央に中央吐出口２７ｆが開口されると共に、中央吐出口２７ｆ周囲の放射状位置に複数の周辺吐出口２７ｇが周方向に並列して開口され、さらに、中央吐出口２７ｆと各周辺吐出口２７ｇとを放射状に連絡する連絡吐出口２７ｍが各々開口されている。
【００８５】
図２５〜図２７に示すように、中央吐出口２７ｆと中央通路２７ｅは略同軸に配置され、この中央吐出口２７ｆは、図２３、図２５及び図２６に示すように、仕切壁２７ｃ迄延びて中央通路２７ｅと連絡されている。
【００８６】
また、各周辺吐出口２７ｇ及び各連絡吐出口２７ｍも、仕切壁２７ｃ迄延びて中央通路２７ｅと連絡されている。
【００８７】
蓋開閉部２１は、図２８及び図２９に示すように、円環状を成す基部２１ａと、この基部２１ａの後端側の面に設けられる複数本の足２１ｂと、これらの足２１ｂに支持される弁体２１ｃと、を備え、これら基部２１ａ、足２１ｂ、弁体２１ｃは、例えば合成樹脂等を始めとした可撓性材で一体成形されている。
【００８８】
足２１ｂは、基部２１ａ後端側の面の円周方向３等配の位置から、軸線方向に突設され後端側に向かってから先端側に向かい、円環状を成す基部２１ａの中央孔２１ｅを通過するＵ字状に湾曲されると共にＵ字の両端部が初期状態において外側に開く形状とされている。
【００８９】
弁体２１ｃは、図３０に示すように、３本の足２１ｂの先端に設けられ、図２３、図２８及び図２９に示すように、その先端が、一対の截頭円錐台形状部を大径の底面同士対面させて抱き合わせたような形状に構成されている。この弁体２１ｃには、先端面から所定深さの孔２１ｇが設けられている。なお、弁体２１ｃは、部品点数の低減及び組立の容易性の観点から可撓性の足２１ｂと一体に成形されているが、別部材で別体として連結されていても良い。
【００９０】
この蓋開閉部２１は、図２３に示すように、円環状の基部２１ａが、吐出蓋２７の段付き円筒形状を成す本体部２７ａ内に押し込まれ、当該本体部２７ａ内の段付き部に突き当てられて内周に係止され、吐出蓋２７に装着されている。
【００９１】
この装着の際に、弁体２１ｃは、その孔２１ｇを潰しながら吐出蓋２７の中央通路２７ｅを通過し、仕切壁２７ｃより先端側に進入する。
【００９２】
この状態で、吐出蓋２７の仕切壁２７ｃの中央通路２７ｅには、蓋開閉部２１の弁体２１ｃ後端側の截頭円錐台形状部２１ｆが、仕切壁２７ｃより後端側に位置する可撓性の複数の足２１ｂに支えられて先端側（足２１ｂ配置側とは反対側）へ嵌り込み、当該中央通路２７ｅが閉状態とされて封止されている。
【００９３】
ここで、吐出蓋２７や蓋開閉部２１は、可撓性の足２１ｂが弁体２１ｃに所定の引張力を与えて中央通路２７ｅを塞ぐように組み立てられている。また、足２１ｂは、Ｕ字の構成により好適に撓むのが可能にされていると共に、Ｕ字の両端部が初期状態において外側に開く形状とされているため一層好適に撓むのが可能とされている。
【００９４】
そして、蓋開閉部２１を装着した吐出蓋２７は、後端側が本体筒１の先端筒部１ａ内に挿入され、環状凹部２７ｄが本体筒１の環状凸部１ｃに嵌入し、本体筒１に装着されている。
【００９５】
また、本体筒１と吐出蓋２７との間には、上記塗布体１３を支持する塗布体支持体２２が装着されている。
【００９６】
このような第３実施形態によれば、押し出される液状化粧料に従って、可撓性の足２１ｂが先端側に向かって撓み弁体２１ｃが前進し、これにより仕切壁２７ｃの中央通路７ｅが開放される。
【００９７】
そして、この中央通路２７ｅの開状態に従って、液状化粧料は、中央通路２７ｅを通して、中央吐出口２７ｆ、各連絡吐出口２７ｍ及び各周辺吐出口２７ｇから吐出される。
【００９８】
このように、液状化粧料は、蓋部２７ｂの広い範囲から吐出され、蓋部２７ｂからの液状化粧料の吐出の偏りが低減されている。
【００９９】
そして、押し出される液状化粧料が中央通路２７ｅを通過すると、弁体２１ｃは、可撓性の足２１ｂに従って元の封止位置に復帰して中央通路２７ｅは閉状態とされる。
【０１００】
従って、この第３実施形態にあっても、第１実施形態とほぼ同様な効果を得ることができる。
【０１０１】
図３１は、本発明の第４実施形態に係る充填物押出容器の蓋開閉部を抽出して示す斜視図、図３２は、図３１に示す蓋開閉部の側面図である。
【０１０２】
この第４実施形態が第３実施形態と違う点は、弁体２１ｃと基部２１ａとを繋ぐ第３実施形態の複数の可撓性の足２１ｂを、二条螺子の如き一対の螺旋状の足をさらに各々捩って成る可撓性の足３１ｂに代えた蓋開閉部３１を用いた点である。因みに、図３１に示すように、基部２１ａの中央孔３１ｅは、足２１ｂが通過しないことから第３実施形態の中央孔２１ｅに比して小径の孔とされている。
【０１０３】
従って、この第４実施形態にあっても、第３実施形態とほぼ同様な効果を得ることができるというのはいうまでもない。因みに、足３１ｂは、各々捩られているため、捩っていない場合に比して、足が所定の可撓性を有する螺旋の周回の回数を少なくするのが可能となっている。
【０１０４】
なお、この第４実施形態の螺旋状の足を、第１実施形態と同様に、弁体２１ｃに所定の押圧力を与えて中央通路２７ｅを後端側（足３１ｂ配置側）から封止するように構成することも可能である。この場合には、第１実施形態と同様に、仕切壁２７ｃを可撓性とすると、液状化粧料の吐出時に、仕切壁２７ｃが先端側に湾曲して中央通路２７ｅを一層開口することが可能である。因みに、弁体１１ｃ、２１ｃの中央通路７ｅ，２７ｅからの後退で液状化粧料の吐出が十分であれば、仕切壁７ｃ，２７ｃは可撓性を有していなくても良い。
【０１０５】
図３３は、本発明の第５実施形態に係る充填物押出容器の吐出蓋を抽出して示す縦断面図、図３４は、図３３中の吐出蓋本体ホルダを示す側面図、図３５は、図３４に示す吐出蓋本体ホルダの縦断面図、図３６は、図３３中の吐出蓋本体を示す正面斜視図、図３７は、図３３中の吐出蓋本体を示す背面斜視図、図３８は、図３６及び図３７に示す吐出蓋本体の縦断面図であり、各図において、上記実施形態と同一の要素については同一の符号を付し、重複する説明は省略する。
【０１０６】
この第５実施形態にあっては、図３３に示すように、本体筒１の液状化粧料収容領域６からの液状化粧料を吐出する吐出蓋５０を、蓋部５１及び蓋開閉部５２を有する吐出蓋本体５３と、この吐出蓋本体５３を保持する吐出蓋本体ホルダ５４と、を具備する構成としている。
【０１０７】
吐出蓋本体ホルダ５４は、吐出蓋本体５３を保持して本体筒１に装着されるもので、図３３〜３５に示すように、肉厚の段付き円筒形状を成す本体部５４ａと、この本体部５４ａの先端の蓋部収容部５４ｂと、を備えている。これら本体部５４ａ及び蓋部収容部５４ｂは一体成形されている。
【０１０８】
本体部５４ａは、図３３に示すように、筒内が液状化粧料収容領域６に連通され、図３３〜図３５に示すように、後端面寄りの外周に本体筒１に装着するための環状凹部５４ｄを備えると共に、図３５に示すように、筒内の軸線方向途中位置に中仕切を成す仕切壁５４ｃを備えている。この仕切壁５４ｃは、蓋部５１側と収容領域６側とを仕切るもので、その略中央に中央通路５４ｅが貫通されている。
【０１０９】
蓋部収容部５４ｂは、先端側から凹設され蓋部５１を収容するための横断面円形の凹部５４ｆを備えている。この凹部５４ｆは、その内周面が本体部５４ａの内周面に比して大径とされ本体部５４ａ内、中央通路５４ｅに連通されている。この凹部５４ｆは、その内周面に、蓋部５１を保持するための環状凸部５４ｇを備えている。
【０１１０】
そして、吐出蓋本体ホルダ５４は、図３３に示すように、後端側が本体筒１の先端筒部１ａ内に挿入され、環状凹部５４ｄが本体筒１の環状凸部１ｃに嵌入することで、本体筒１に装着されている。
【０１１１】
吐出蓋本体５３を構成する一方の蓋開閉部５２は、中央通路５４ｅを開閉するもので、他方の蓋部５１は、液状化粧料を外部に吐出するもので、これら蓋部５１及び蓋開閉部５２は、例えば合成樹脂等を始めとした可撓性材で一体成形されている。
【０１１２】
蓋部５１は、図３６〜図３８に示すように、略中央が先端側に向かって傘状に湾曲する円板状に構成されると共に、円周縁部に後方側へ突出する鍔部５１ｂを備えている。この蓋部５１は、その円板状部分の略中央に中央吐出口５１ｆが開口されると共に、この中央吐出口５１ｆ周囲の放射状位置に当該中央吐出口５１ｆに連通する複数の帯状の周辺吐出口５１ｇが周方向１２０°間隔で各々開口されている。この中央吐出口５１ｆは、図３３に示すように、中央通路５４ｅと略同軸に位置し、周辺吐出口５１ｇは、図３６に示すように、後述の足５２ｂの一方端が露出するように開口されている。
【０１１３】
蓋開閉部５２は、図３６〜図３８に示すように、蓋部５１によって支持される複数本の足５２ｂと、これらの足５２ｂに支持される弁体５２ｃと、を備えている。
【０１１４】
足５２ｂは、蓋部５１の鍔部５１ｂの内周面に設けられているが、Ｕ字状に湾曲されＵ字を成す曲部が先端側に向かい、当該曲部が蓋部５１の周辺吐出口５１ｇの各々の後方側に位置するように配置されている。この足５２ｂは、Ｕ字を成す一方端が鍔部５１ｂの内周面に連設され、他方端が弁体５２ｃを支持している。この足５２ｂの一方端は、図３６に示すように、周辺吐出口５１ｇから露出し、図３８に示すように、足５２ｂの一方端の先端側の外縁部５２ｉが、鍔部５１ｂの外周面より多少外方に突出するように構成されている。この外縁部５２ｉと同様に外方に突出する凸部５２ｍが、鍔部５１ｂの外周面にも形成されている。
【０１１５】
弁体５２ｃは、前半部が大径の円筒形状に構成されると共に、これに続く後半部が小径の円柱形状に構成され、前半部と後半部との境界部が末細り形状のテーパ部５２ｈとされている。この弁体５２ｃは、前半部及び後半部が、吐出蓋本体ホルダ５４内に進入可能な大きさに構成されると共に、後半部のみが中央通路５４ｅを通過可能な大きさに構成されている。なお、弁体５２ｃは、部品点数の低減及び組立の容易性の観点から可撓性の足５２ｂと一体に成形されているが、別部材で別体として連結されていても良い。
【０１１６】
そして、これらの蓋部５１及び蓋開閉部５２を備える吐出蓋本体５３は、図３３に示すように、蓋部５１が蓋部収容部５４ｂの凹部５４ｆに押し込まれ、鍔部５１ｂの後端面が凹部５４ｆの底面に突き当てられ、足５２ｂの一方端側の外縁部５２ｉ及び鍔部５１ｂの凸部５２ｍが、凹部５４ｆの環状凸部５４ｇに係合することで、吐出蓋本体ホルダ５４に装着されている。
【０１１７】
この装着の際に、弁体５２ｃは、その後半部が、吐出蓋本体ホルダ５４の中央通路５４ｅを通過し、吐出蓋本体ホルダ５４内の仕切壁５４ｃより後方側へ進入する。
【０１１８】
この状態で、弁体５２ｃのテーパ部５２ｈが、可撓性の複数の足５２ｂに支えられて、吐出蓋本体ホルダ５４の中央通路５４ｅの先端側に当接し、当該中央通路５４ｅが閉状態とされて封止されている。
【０１１９】
ここで、吐出蓋本体５３や吐出蓋本体ホルダ５４は、可撓性の足５２ｂが弁体５２ｃに所定の押圧力を与えて中央通路５４ｅを塞ぐように組み立てられている。また、足５２ｂは、Ｕ字の構成により好適に撓むのが可能にされている。
【０１２０】
そして、本体筒１と吐出蓋本体ホルダ５４との間には、上記と同様な塗布体支持体１２が装着され、これに支持される上記と同様な塗布体１３により、蓋部５１の全面が覆われている。
【０１２１】
このような第５実施形態によれば、押し出される液状化粧料に従って、可撓性の足５２ｂが先端側に向かって撓み、弁体５２ｃが前進し、これにより仕切壁５４ｃの中央通路５４ｅが開放される。この時、弁体５２ｃの前半部が円筒形状とされているため、当該弁体５２ｃの変位が容易とされている。
【０１２２】
そして、この中央通路５４ｅの開状態に従って、液状化粧料は、中央通路５４ｅ、吐出蓋本体ホルダ５４の内周面と弁体５２ｃの前半部の外周面との間を通して、各周辺吐出口５１ｇから吐出されると共に、この周辺吐出口５１ｇに連設される中央吐出口５１ｆから図３３に矢印で示すように回り込むようにして吐出される。
【０１２３】
このように、液状化粧料は、蓋部５１の広い範囲から吐出され、蓋部５１からの液状化粧料の吐出の偏りが低減されている。
【０１２４】
そして、押し出される液状化粧料が中央通路５４ｅを通過すると、弁体５２ｃは、可撓性の足５２ｂに従って元の封止位置に復帰して中央通路５４ｅは閉状態とされる。
【０１２５】
従って、この第５実施形態にあっても、上記実施形態とほぼ同様な効果を得ることができる。
【０１２６】
以上、本発明をその実施形態に基づき具体的に説明したが、本発明は上記実施形態に限定されるものではなく、例えば、上記実施形態においては、充填物を液状化粧料とした場合に特に有効であるとして、蓋部７ｂ，２７ｂ，５１を覆う塗布体１３を設けているが、必ずしも必要では無い。
【０１２７】
また、吐出口７ｆ，７ｇ，２７ｆ，２７ｇ，２７ｍ，５１ｆ，５１ｇの形状は、円形、円弧帯、帯状等の形状に限定されるものではなく、例えば矩形等であっても良い。
【０１２８】
また、上記第１〜第４実施形態においては、液状化粧料収容領域６の十分な容積を確保すべく、仕切壁７ｃ，２７ｃより後端側に足１１ｂ，２１ｂ，３１ｂを配置しているが、弁体１１ｃ，２１ｃ及び足１１ｂ，２１ｂ，３１ｂを反転し、仕切壁７ｃ，２７ｃより先端側に当該反転した足を配置して、当該反転した弁体により中央通路７ｅ，２７ｅを封止するようにしても良い。例えば第１実施形態であれば、反転した足の押圧力に従い、反転した弁体が中央通路を先端側（足配置側）から封止し、例えば第３実施形態であれば、反転した足の引張力に従い、反転した弁体が中央通路を後端側（足配置側とは反対側）から封止することになる。このように構成しても、液状化粧料が押し出されると、弁体は中央通路７ｅ，２７ｅから離間し、押出分が中央通路７ｅ，２７ｅを通過すると、弁体は可撓性の足に従って中央通路７ｅ，２７ｅを塞ぐ封止位置に復帰することになる。なお、弁体が仕切壁７ｃ，２７ｃより後部側に配置されている場合にあっては、前述したように、仕切壁７ｃ，２７ｃを可撓性とすることで、液状化粧料の吐出時に、仕切壁７ｃ，２７ｃが先端側に湾曲して中央通路７ｅ，２７ｅを一層開口することが可能である。
【０１２９】
また、第３〜第５実施形態の蓋部の中央吐出口２７ｆ，５１ｆを、第２実施形態と同様に閉塞するようにしても良い。このように構成した場合も、従来に比して蓋部２７ｂ，５１からの液状化粧料の吐出の偏りが低減される。
【０１３０】
また、第１〜第４実施形態の吐出蓋７，１７，２７と蓋開閉部１１，２１，３１との組合せを、任意に組み合わせることも可能である。
【０１３１】
また、液状化粧料の粘度等によっては、弁体１１ｃ，２１ｃ，５２ｃが中央通路７ｅ，２７ｅ，５４ｅに対して多少の隙間を有する近接状態にあっても、この近接状態の位置を封止位置として中央通路７ｅ，２７ｅ，５４ｅを封止することが可能である。
【０１３２】
また、上記実施形態においては、特に好適であるとして充填物を液状化粧料としているが、例えば、マーキングペン等の筆記用具等のインクや、液状の医薬品等や、泥状物や、靴墨等を充填物とした押出容器に対しても適用可能である。
【０１３３】
また、液状化粧料を始めとした充填物の押出機構１０は上記実施形態のものに限定されるものではなく、例えばノック式の押出機構でも良い。
【０１３４】
さらにまた、チューブやソフトボトル等の単純なスクイーズ式の押出容器に対しても本発明は適用可能である。
【０１３５】
【発明の効果】
本発明による充填物押出容器は、通常時には、蓋部と充填領域との間の仕切壁の略中央を貫通する中央通路を、複数の可撓性の足を備える弁体により封止する一方で、充填物が後部側から押し出されると弁体が可撓性の足に従って中央通路から離間して当該中央通路を開放し、充填領域からの充填物を、中央通路を介して、蓋部の略中央に開口した中央吐出口及び蓋部の中央吐出口周囲の放射状位置に開口した複数の周辺吐出口から吐出し、押出分が中央通路を通過すると、弁体が可撓性の足に従って元の封止位置に復帰するようにし、簡易な構成で、通常時の充填領域の密閉性を確保すると共にこの充填領域に密閉される充填物を使用時には蓋部の広い範囲から吐出するように構成したものであるから、低コスト化を図りつつ、充填物の劣化及び落下等による充填物の吐出を防止することが可能になると共に、このように劣化が無く必要時のみ吐出することになる充填物を、蓋部から偏りを低減して吐出することが可能となる。
【図面の簡単な説明】
【図１】本発明の第１実施形態に係る充填物押出容器を示す縦断面図であり、ピストンを繰り出す前の状態を示す縦断面図である。
【図２】本発明の第１実施形態に係る充填物押出容器を示す縦断面図であり、ピストンを前進限迄繰り出した状態を示す縦断面図である。
【図３】図１及び図２中の本体筒を示す縦断面図である。
【図４】図１及び図２中の操作筒を示す一部破断斜視図である。
【図５】図４に示す操作筒の側面図である。
【図６】図１及び図２中の筒状体を示す斜視図である。
【図７】図６に示す筒状体の側面図である。
【図８】図６に示す筒状体の縦断面図である。
【図９】図１及び図２中のラチェットバネ部を示す斜視図である。
【図１０】図９に示すラチェットバネ部の側面図である。
【図１１】図１及び図２中の移動体を示す側面図である。
【図１２】図１１に示す移動体の縦断面図である。
【図１３】図１１に示す移動体の背面図である。
【図１４】図１及び図２中の吐出蓋を示す斜視図である。
【図１５】図１４に示す吐出蓋の一部破断斜視図である。
【図１６】図１４に示す吐出蓋の縦断面図である。
【図１７】図１及び図２中の蓋開閉部を示す一部破断斜視図である。
【図１８】図１７に示す蓋開閉部の背面図である。
【図１９】本発明の第２実施形態に係る充填物押出容器を示す縦断面図であり、ピストンを繰り出す前の状態を示す縦断面図である。
【図２０】図１９中の吐出蓋を示す斜視図である。
【図２１】図２０に示す吐出蓋の一部破断斜視図である。
【図２２】図２０に示す吐出蓋の縦断面図である。
【図２３】本発明の第３実施形態に係る充填物押出容器の吐出蓋及び蓋開閉部を抽出して示す縦断面図である。
【図２４】図２３中の吐出蓋を示す側面図である。
【図２５】図２４に示す吐出蓋の一部破断斜視図である。
【図２６】図２４に示す吐出蓋の縦断面図である。
【図２７】図２４に示す吐出蓋の正面図である。
【図２８】図２３中の蓋開閉部を示す斜視図である。
【図２９】図２８に示す蓋開閉部の縦断面図である。
【図３０】図２８に示す蓋開閉部の背面図である。
【図３１】本発明の第４実施形態に係る充填物押出容器の蓋開閉部を抽出して示す斜視図である。
【図３２】図３１に示す蓋開閉部の側面図である。
【図３３】本発明の第５実施形態に係る充填物押出容器の吐出蓋を抽出して示す縦断面図である。
【図３４】図３３中の吐出蓋本体ホルダを示す側面図である。
【図３５】図３４に示す吐出蓋本体ホルダの縦断面図である。
【図３６】図３３中の吐出蓋本体を示す正面斜視図である。
【図３７】図３３中の吐出蓋本体を示す背面斜視図である。
【図３８】図３６及び図３７に示す吐出蓋本体の縦断面図である。
【符号の説明】
１…本体筒（筒状体）、６…液状化粧料収容領域（充填領域）、７，１７，２７，５０…吐出蓋、７ｂ，２７ｂ，５１…蓋部、７ｃ，２７ｃ，５４ｃ…仕切壁、７ｅ，２７ｅ，５４ｅ…中央通路、７ｆ，２７ｆ，５１ｆ…中央吐出口、７ｇ，２７ｇ，５１ｇ…周辺吐出口、７ｍ…閉塞部、１０…押出機構、１１，２１，３１，５２…蓋開閉部、１１ｂ，２１ｂ，３１ｂ，５２ｂ…足、１１ｃ，２１ｃ，５２ｃ…弁体、１３…塗布体、５３…吐出蓋本体、５４…吐出蓋本体ホルダ、１００…液状化粧料押出容器（充填物押出容器）。
【図１】
2004141639.tif 000003
【図２】
2004141639.tif 000004
【図３】
2004141639.tif 000005
【図４】
2004141639.tif 000006
【図５】
2004141639.tif 000007
【図６】
2004141639.tif 000008
【図７】
2004141639.tif 000009
【図８】
2004141639.tif 000010
【図９】
2004141639.tif 000011
【図１０】
2004141639.tif 000012
【図１１】
2004141639.tif 000013
【図１２】
2004141639.tif 000014
【図１３】
2004141639.tif 000015
【図１４】
2004141639.tif 000016
【図１５】
2004141639.tif 000017
【図１６】
2004141639.tif 000018
【図１７】
2004141639.tif 000019
【図１８】
2004141639.tif 000020
【図１９】
2004141639.tif 000021
【図２０】
2004141639.tif 000022
【図２１】
2004141639.tif 000023
【図２２】
2004141639.tif 000024
【図２３】
2004141639.tif 000025
【図２４】
2004141639.tif 000026
【図２５】
2004141639.tif 000027
【図２６】
2004141639.tif 000028
【図２７】
2004141639.tif 000029
【図２８】
2004141639.tif 000030
【図２９】
2004141639.tif 000031
【図３０】
2004141639.tif 000032
【図３１】
2004141639.tif 000033
【図３２】
2004141639.tif 000034
【図３３】
2004141639.tif 000035
【図３４】
2004141639.tif 000036
【図３５】
2004141639.tif 000037
【図３６】
2004141639.tif 000038
【図３７】
2004141639.tif 000039
【図３８】
2004141639.tif 000040